(57)【要約】【課題】バックカバーの厚みが薄くてもスピーカユニットなどの付属機器を取り付ける際に充分な強度が得られるようにすることを目的とする。【解決手段】表示ユニットの回路ブロックが配置された背面側を覆うように配設した金属薄板からなるバックカバー１４と、このバックカバー１４の所定の箇所に設けた取付孔２０に取り付けられかつねじ孔２１ａを有するインサートナット２１とを備え、インサートナット２１は、ねじ孔２１ａを有する筒状の本体部２２と、この本体部２２の一端にこの一端との間に溝２３を設けて形成されかつ外周部が鋸状で前記本体部２２より径の大きいフランジ部２４とで構成し、バックカバー１４の取付孔２０の周縁部を本体部２２の一端とフランジ部２４とで挾持することによりインサートナット２１をバックカバー１４の取付孔２０に取り付けたものである。【選択図】　図１
2004072302.tif 000002
【特許請求の範囲】
【請求項１】
パネル及びこのパネルの背面側に配置されかつパネルに信号を印加して表示を行う回路ブロックからなる表示ユニットと、この表示ユニットの回路ブロックが配置された背面側を覆うように配設した金属薄板からなるバックカバーと、このバックカバーの所定の箇所に設けた取付孔に取り付けられかつねじ孔を有するインサートナットとを備え、前記インサートナットは、ねじ孔を有する筒状の本体部と、この本体部の一端にこの一端との間に溝を設けて形成されかつ外周部が鋸状で前記本体部より径の大きいフランジ部とで構成し、前記バックカバーの取付孔の周縁部を本体部の一端とフランジ部とで挾持することによりインサートナットをバックカバーの取付孔に取り付けたことを特徴とする平面型表示装置。
【請求項２】
インサートナットはバックカバーの取付孔に圧入することにより取り付けた請求項１に記載の平面型表示装置。
【発明の詳細な説明】
【０００１】
【発明の属する技術分野】
本発明は、大画面で、薄型、軽量のディスプレイ装置として知られているプラズマディスプレイ装置などの平面型表示装置に関するものである。
【０００２】
【従来の技術】
このプラズマディスプレイ装置では、ガス放電により紫外線を発生させ、この紫外線で蛍光体を励起して発光させカラー表示を行っている。そして、基板上に隔壁によって区画された表示セルが設けられており、これに蛍光体層が形成されている構成を有する。
【０００３】
このプラズマディスプレイ装置には、大別して、駆動的にはＡＣ型とＤＣ型があり、放電形式では面放電型と対向放電型の２種類があるが、高精細化、大画面化および製造の簡便性から、現状では、プラズマディスプレイ装置の主流は、３電極構造の面放電型のもので、その構造は、一方の基板上に平行に隣接した表示電極対を有し、もう一方の基板上に表示電極と交差する方向に配列されたアドレス電極と、隔壁、蛍光体層を有するもので、比較的蛍光体層を厚くすることができ、蛍光体によるカラー表示に適している。
【０００４】
このようなプラズマディスプレイ装置は、液晶パネルに比べて高速の表示が可能であり、視野角が広いこと、大型化が容易であること、自発光型であるため表示品質が高いことなどの理由から、フラットパネルディスプレイの中で最近特に注目を集めており、多くの人が集まる場所での表示装置や家庭で大画面の映像を楽しむための表示装置として各種の用途に使用されている。
【０００５】
以下、プラズマディスプレイ装置について、図３〜図５を用いて説明する。
【０００６】
まず、プラズマディスプレイ装置におけるプラズマディスプレイパネルの構造について図３を用いて説明する。図３に示すように、ガラス基板などの透明な前面側の基板１上には、スキャン電極とサステイン電極とで対をなすストライプ状の表示電極２が複数列形成され、そしてその電極群を覆うように誘電体層３が形成され、その誘電体層３上には保護膜４が形成されている。
【０００７】
また、前記前面側の基板１に対向配置される背面側の基板５上には、スキャン電極及びサステイン電極の表示電極２と交差するように、オーバーコート層６で覆われた複数列のストライプ状のアドレス電極７が形成されている。このアドレス電極７間のオーバーコート層６上には、アドレス電極７と平行に複数の隔壁８が配置され、この隔壁８間の側面およびオーバーコート層６の表面に蛍光体層９が設けられている。
【０００８】
これらの基板１と基板５とは、スキャン電極およびサステイン電極の表示電極２とアドレス電極７とがほぼ直交するように、微小な放電空間を挟んで対向配置されるとともに、周囲が封止され、そして前記放電空間には、ヘリウム、ネオン、アルゴン、キセノンのうちの一種または混合ガスが放電ガスとして封入されている。また、放電空間は、隔壁８によって複数の区画に仕切ることにより、表示電極２とアドレス電極７との交点が位置する複数の放電セルが設けられ、その各放電セルには、赤色、緑色及び青色となるように蛍光体層９が一色ずつ順次配置されている。
【０００９】
このような電極構成のプラズマディスプレイパネルにおいては、アドレス電極とスキャン電極の間に書き込みパルスを印加することにより、アドレス電極とスキャン電極の間でアドレス放電を行い、放電セルを選択した後、スキャン電極とサステイン電極との間に、交互に反転する周期的な維持パルスを印加することにより、スキャン電極とサステイン電極との間で維持放電を行い、所定の表示を行うものである。
【００１０】
図４は上記で説明した構造のパネルを組み込んだプラズマディスプレイ装置の全体構成の一例を示す分解斜視図である。図において、パネル１０は、アルミニウム等からなるシャーシ部材１１の前面に熱伝導シート１２を介して接着することにより保持され、そしてシャーシ部材１１の背面側には、パネル１０を表示駆動させるための複数の回路ブロック１３が取り付けられ、これにより表示ユニットが構成されている。前記熱伝導シート１２は、パネル１０で発生した熱をシャーシ部材１１に効率よく伝え、放熱を行うためのものである。また、回路ブロック１３はパネル１０の表示駆動とその制御を行うための電気回路を備えており、パネル１０の縁部に引き出された電極引出部に、シャーシ部材１１の四辺の縁部を越えて延びる複数のフレキシブル配線板（図示せず）によって電気的に接続されている。
【００１１】
前記表示ユニットを収容する筐体は、表示ユニットの回路ブロック１３が配置された背面側を覆うように配設したバックカバー１４と、前記表示ユニットのパネル１０の前面側に配置されかつ前記パネル１０の表示領域に対応した窓１５ａを有するとともに表示領域以外の周辺部を覆う前面枠１５とから構成され、前面枠１５の窓１５ａには光学フィルターおよびパネル１０の保護を兼ねた前面ガラス１６が配置されている。また、この前面ガラス１６には電磁波の不要輻射を抑制するために、例えば銀蒸着が施されている。さらに、バックカバー１４には、パネル１０等で発生した熱を外部に放出するための複数の通気孔１４ａが設けられている。また、シャーシ部材１１の後面には、回路ブロック１３を取り付けたり、バックカバー１４を固定するためのボス部１１ａが設けられている。
【００１２】
図５（ａ）、（ｂ）は完成状態のプラズマディスプレイ装置の外観を示す上面図及び正面図であり、１７はプラズマディスプレイ装置、１８はこのプラズマディスプレイ装置１７の両側に取り付けたスピーカユニットで、通常スピーカユニット１８は、プラズマディスプレイ装置１７のバックカバー１４に取付金具１９を用いて取り付けられる。
【００１３】
【発明が解決しようとする課題】
ところで、このようなプラズマディスプレイ装置において、大画面で薄型であることが特長であることから、表示ユニットを収容する筐体もできる限り厚みの薄い材料により構成することが要求されるが、図５に示すようにスピーカユニット１８をプラズマディスプレイ装置１７に取り付ける場合、取付金具１９をそれぞれスピーカユニット１８とプラズマディスプレイ装置１７のバックカバー１４にねじで固定することにより行われるため、プラズマディスプレイ装置１７のバックカバー１４には、取付金具１９をねじで固定する際に所定の取付強度が得られる程度のねじ孔を形成できる厚みが必要となっていた。
【００１４】
本発明はこのような課題に鑑みなされたもので、プラズマデイスプレイ装置などの平面型表示装置において、バックカバーの厚みが薄くてもスピーカユニットなどの付属機器を取り付ける際に充分な強度が得られるようにすることを目的とする。
【００１５】
【課題を解決するための手段】
上記目的を達成するために本発明は、バックカバーの所定の箇所に設けた取付孔に取り付けられかつねじ孔を有するインサートナットを備え、前記インサートナットは、ねじ孔を有する筒状の本体部と、この本体部の一端にこの一端との間に溝を設けて形成されかつ外周部が鋸状で前記本体部より径の大きいフランジ部とで構成し、前記バックカバーの取付孔の周縁部を本体部の一端とフランジ部とで挾持することによりインサートナットをバックカバーの取付孔に取り付けたものである。
【００１６】
【発明の実施の形態】
すなわち、本発明の請求項１記載の発明は、パネル及びこのパネルの背面側に配置されかつパネルに信号を印加して表示を行う回路ブロックからなる表示ユニットと、この表示ユニットの回路ブロックが配置された背面側を覆うように配設した金属薄板からなるバックカバーと、このバックカバーの所定の箇所に設けた取付孔に取り付けられかつねじ孔を有するインサートナットとを備え、前記インサートナットは、ねじ孔を有する筒状の本体部と、この本体部の一端にこの一端との間に溝を設けて形成されかつ外周部が鋸状で前記本体部より径の大きいフランジ部とで構成し、前記バックカバーの取付孔の周縁部を本体部の一端とフランジ部とで挾持することによりインサートナットをバックカバーの取付孔に取り付けたものである。
【００１７】
また、請求項２に記載の発明は、請求項１において、インサートナットはバックカバーの取付孔に圧入することにより取り付けたものである。
【００１８】
以下、本発明の一実施の形態による平面型表示装置について、プラズマディスプレイ装置を例に図１及び図２を用いて説明する。なお、図１、図２において、図３〜図５に示す部分と同一部分については、同一番号を付している。
【００１９】
図１（ａ）、（ｂ）は本発明の一実施の形態によるプラズマディスプレイ装置において、インサートナットを取り付けるときの状況を示し、図２はインサートナットを示している。まず、本発明のプラズマディスプレイ装置は、図３〜図５に示すように、パネル１０及びこのパネル１０の背面側に配置されかつパネルに信号を印加して表示を行う回路ブロック１３からなる表示ユニットと、この表示ユニットの回路ブロック１３が配置された背面側を覆うように配設した金属薄板からなるバックカバー１４とを備えている。
【００２０】
そして、このバックカバー１４において、スピーカユニット１８などを取り付けるための取付金具１９を固定するねじが螺合する所定の箇所には、図１に示すように、取付孔２０が設けられ、その取付孔２０にねじが螺合するねじ孔２１ａを有するインサートナット２１が取り付けられる。
【００２１】
このインサートナット２１は、図２に示すように、ねじ孔２１ａを有する筒状の本体部２２と、この本体部２２の一端にこの一端との間に溝２３を設けて形成されかつ外周部が鋸状で前記本体部２２より径の大きいフランジ部２４とで構成されており、図１（ａ）に示すように、バックカバー１４の取付孔２０に圧入することにより、図１（ｂ）に示すように、バックカバー１４の取付孔２０の周縁部を本体部２２の一端とフランジ部２４とが挾持する状態で取り付けられる。また、フランジ部２４にもねじ孔２１ａにつながる孔が設けられている。
【００２２】
ここで、さらに詳しく説明すると、図１（ａ）に示すように、金属薄板からなるバックカバー１４を下型２５上に載置し、その後バックカバー１４の取付孔２０に外側からインサートナット２１を挿入する。この状態では、インサートナット２１のフランジ部２４がバックカバー１４の取付孔２０の周縁部に当接したままであるが、その後パンチ２６を用いてインサートナット２１のフランジ部２４をプレスし、バックカバー１４にフランジ部２４を圧入することにより、図１（ｂ）に示すように、フランジ部２４の鋸状の外周部と溝２３の作用により、バックカバー１４の取付孔２０の周縁部の一部が溝２３に食い込むように潰され、この結果インサートナット２１の本体部２２の一端とフランジ部２４とがバックカバー１４の取付孔２０の周縁部を挾持した状態で、インサートナット２１は強固にバックカバー１４に固定される。
【００２３】
すなわち、取付金具１９を固定するためのねじが螺合するインサートナット２１をバックカバー１４に強固に固定することができるため、バックカバー１４を厚みの薄い金属薄板で構成しても、充分な強度で取付金具１９を取り付けることができる。
【００２４】
【発明の効果】
以上のように本発明によれば、プラズマディスプレイ装置などの平面型表示装置において、バックカバーの厚みが薄くてもスピーカユニットなどの付属機器を充分な強度で取り付けることが可能となるという効果が得られる。
【図面の簡単な説明】
【図１】（ａ）、（ｂ）は本発明の一実施の形態によるプラズマディスプレイ装置において、インサートナットを取り付けるときの状況を示す断面図
【図２】本発明に用いるインサートナットを示す斜視図
【図３】プラズマディスプレイ装置のパネル構造を示す斜視図
【図４】プラズマディスプレイ装置の内部の配置構造を示す分解斜視図
【図５】（ａ）、（ｂ）はプラズマディスプレイ装置の外観を示す上面図及び正面図
【符号の説明】
１０　パネル
１３　回路ブロック
１４　バックカバー
２０　取付孔
２１　インサートナット
２１ａ　ねじ孔
２２　本体部
２３　溝
２４　フランジ部
【図１】
2004072302.tif 000003
【図２】
2004072302.tif 000004
【図３】
2004072302.tif 000005
【図４】
2004072302.tif 000006
【図５】
2004072302.tif 000007